(57)【要約】【課題】  従来のデジタルカメラダイレクトプリントシステムでは、プリンタがＪＰＥＧ圧縮以外の画像を扱うことができなかった。そのため、ＲＡＷ画像データは、コンピューター等で現像処理を行い、ＪＰＥＧ画像に変換してからでないとプリントすることができなかった。【解決手段】  デジタルカメラ内でＲＡＷデータを再生、リサイズ、回転などを行い、ＪＰＥＧ画像に変換してからプリンタに画像データを転送する。またプリントサイズが比較的小さい場合には、ＲＡＷと共に生成されるプレビュー用ＪＰＥＧ画像データをプリンタに送信する。【選択図】  図２
2007221685.tif 000002
【特許請求の範囲】
【請求項１】
ＲＡＷ画像データ記録が可能であり、プリンタと通信して印刷対象の画像を前記プリンタに送信するデジタルカメラであって、
撮像素子から出力された信号をデジタル変換して、ＲＡＷ画像データを生成する画像生成手段と、
画像を表示するための表示手段と、
前記画像生成手段で生成されたＲＡＷ画像データを記憶媒体に記録する記録手段と、
前記ＲＡＷ画像データに、前記表示手段に表示するための現像処理およびリサイズ処理を施して、プレビュー画像データを生成するプレビュー画像生成手段と、
前記プリンタにおいてＲＡＷ画像データの印刷が可能かを判断する判断手段と、
ユーザからのプリント指示に応じて、ＲＡＷ画像データまたはプレビュー画像データを前記プリンタに送信するための制御手段とを有し、
前記制御手段は、前記判断手段での判断結果に応じて、ＲＡＷ画像データまたはプレビュー画像データのどちらを送信するかを決定することを特徴とするデジタルカメラ。
【請求項２】
前記制御手段は、印刷に必要となる画像サイズに応じて、前記プリンタに送信する画像を決定することを特徴とするデジタルカメラ。
【請求項３】
さらに、ＲＡＷ画像データをリサイズするリサイズ手段を有し、
前記制御手段は、前記判断手段により前記プリンタはＲＡＷ画像データの印刷が可能であると判断され場合に、印刷に必要となる画像サイズに応じて、リサイズ手段によりリサイズされたＲＡＷ画像データを前記プリンタに送信することを特徴とするデジタルカメラ。
【請求項４】
前記制御手段は、前記判断手段により前記プリンタはＲＡＷ画像データの印刷が不可能であると判断され、かつ、前記プレビュー画像生成手段で生成したプレビュー画像データが印刷に必要となる画像サイズよりも大きい場合は、前記プレビュー画像データを前記プリンタに送信することを特徴とする請求項１に記載のデジタルカメラ。
【請求項５】
前記リサイズ手段は、複数色の画素データが予め定められた順序で二次元配列されているＲＡＷ画像データの色分離を行い各色の色信号データを生成し、色分離された各色信号データに補間処理を施し、各色信号データをリサイズして、その後、色信号データを単版化して、リサイズＲＡＷ画像データ生成することを特徴とするデジタルカメラ。
【発明の詳細な説明】
【技術分野】
【０００１】
本発明は、ＲＡＷ画像データ記録が可能な撮像装置から、印刷対象の画像をプリンタに送信するダイレクトプリントシステムに関する。
【背景技術】
【０００２】
従来、デジタルカメラ等の撮像装置に記録保持されている画像データを印刷する場合、一般的には２つの形式がある。１つは、デジタルカメラとプリンタとをＵＳＢ等のケーブルを用いて直接接続し、デジタルカメラで選択した画像をプリンタに送信し、印刷を行うデジタルカメラダイレクトプリントである。もう一つは、プリンタのメモリカードスロットに画像データが記録されているメモリカードを装着し、プリンタの操作ボタン等で印刷する画像を選択して印刷を行うカードダイレクトプリントである。
【０００３】
図６は、従来のデジタルカメラダイレクトプリントの標準的な形態を図示したものである。
【０００４】
１１０は、メモリカード等の記憶媒体であり、デジタルカメラ１０００で撮影した画像データが記録されている。記憶媒体１１０から読み出された画像データは画像バッファ１１１に格納される。格納された画像はＪＰＥＧ圧縮から伸張され表示装置１１５に表示される。ユーザインターフェース１１３から画像のプリントが指定されると、画像送信手段１１２はプリント指定された画像を画像バッファ１１１から画像を読み出し印刷装置２００に送信する。その際、ユーザインターフェース１１３により画像自動補正処理が行う設定がなされている場合には、カメラシステムコントローラ１２０は印刷装置２００のシステムコントローラ２１０へ自動補正を有効にする信号を送信する。
【０００５】
画像送信装置１１２から送信された画像データは画像受信手段２０１で受信され画像バッファ２０２に格納される。格納された画像は画像伸張手段２０３で伸張を展開され、自動画像補正が有効の場合には画像補正を行い、プリント用画像処理手段２０４にてプリント出力処理を行い印刷装置２０５にて印刷を行う。
【特許文献１】特開２００４−１３３４９号公報
【発明の開示】
【発明が解決しようとする課題】
【０００６】
しかしながら従来のデジタルカメラダイレクトプリントシステムでは、プリンタがＪＰＥＧ以外の画像、たとえば、ＲＡＷ画像データのような圧縮されていない画像に対応していなく、ＪＰＥＧ圧縮以外の画像を扱うことができなかった。そのため、デジタルカメラのＲＡＷ記録モードで撮影されたＲＡＷ画像データは、コンピューター等で現像処理を行い、ＪＰＥＧ画像に変換してからでないとプリントすることができなかった。
【課題を解決するための手段】
【０００７】
上記課題を解決するため、本発明の撮像装置は以下のような構成を備える。すなわち、
ＲＡＷ画像データ記録が可能であり、プリンタと通信して印刷対象の画像を前記プリンタに送信するデジタルカメラであって、撮像素子から出力された信号をデジタル変換して、ＲＡＷ画像データを生成する画像生成手段と、画像を表示するための表示手段と、前記画像生成手段で生成されたＲＡＷ画像データを記憶媒体に記録する記録手段と、前記ＲＡＷ画像データに、前記表示手段に表示するための現像処理およびリサイズ処理を施して、プレビュー画像データを生成するプレビュー画像生成手段と、前記プリンタにおいてＲＡＷ画像データの印刷が可能かを判断する判断手段と、ユーザからのプリント指示に応じて、ＲＡＷ画像データまたはプレビュー画像データを前記プリンタに送信するための制御手段とを有し、前記制御手段は、前記判断手段での判断結果に応じて、ＲＡＷ画像データまたはプレビュー画像データのどちらを送信するかを決定することを特徴とする。
【発明の効果】
【０００８】
本発明の第１の実施例では、デジタルカメラで撮影したＲＡＷデータの印刷時において、デジタルカメラ内でＲＡＷデータを再生、リサイズ、回転などを行ってからプリンタに画像信号を転送する構成をとる。またプリントサイズが比較的小さい場合には、ＲＡＷと共に生成されるプレビュー用ＪＰＥＧ信号を用いてプリントする構成をとる。
【０００９】
上記構成をとれば、デジタルカメラとプリンタをダイレクト接続した場合に、従来不可能であった、ＲＡＷデータ印刷が可能となる。また、プリントサイズが小さい場合にはプレビュー用のＪＰＥＧ画像を用いるため高速プリントが可能となる。
【００１０】
本発明の第２の実施例では、プリンタにデジタルカメラの信号処理ＩＣを内蔵し、デジタルカメラで撮影されたＲＧＢ画像信号をプリント用のＣＭＹ信号に変換する時に、その処理ブロックを併用する構成をとる。本構成によりＪＰＥＧのみならずＲＡＷデータを高速にプリントすることが可能となる。更に、プリンタにＲＡＷデータを転送する際、プリンタの出力解像度、出力サイズに応じてＲＡＷデータをデジタルカメラ側でリサイズしてから転送する構成をとる。これにより、画素数が多いデジタルカメラにおいても、転送に時間がかかることがなく、またプリンタ側のメモリ容量を削減することが可能となる。
【発明を実施するための最良の形態】
【００１１】
（第１の実施例）
図１は、本発明における第１の実施例のダイレクトプリントシステム処理ブロック概略図である。このダイレクトプリントシステムはデジタルカメラ１０とプリンタ２０によって構成される。以下、図に従って動作を説明する。
【００１２】
デジタルカメラ１０の動作は不図示の制御のもとに行われ、このカメラシステムコントローラ１２０は、不図示のメモリからプリグラムコードを読み出し、読み出したプログラムに基づいて制御や処理を行う。また同様に、プリンタ２０動作も不図示プリンタシステムコントローラの制御のもとに行われ、このプリンタシステムコントローラは、不図示のメモリからプリグラムコードを読み出し、読み出したプログラムに基づいて制御や処理を行う。
【００１３】
（撮影）
ＣＣＤやＣＭＯＳ等の撮像素子１００１から出力された電気信号はＡ／Ｄ変換器１００２でデジタル画像信号に変換され、画像信号としてＤＲＡＭ等のメモリ１００３に記録される。ユーザによりＲＡＷ撮影モードが選択されている場合、一時的にメモリ１００３に記録された画像信号をＲＡＷ画像データとして記録する。そのとき、このＲＡＷ画像データとプレビュー用のＪＰＥＧ画像データ（後で説明あり）を一つの画像データファイルとしてメモリカードなどの外部記録媒体１０１７に記録する。
【００１４】
ここでＲＡＷ画像データとは、ホワイトバランスや彩度などのパラメーターを加味して画像データ生成せずに撮像素子から得られた電気信号を単純にデジタル化した画像データであり、複数色の画素データが予め定められた順序で二次元配列されているものである。
【００１５】
次に、ＲＡＷ画像データを不図示の表示画面に表示してプレビューするためプレビュー用のＪＰＥＧ画像データの生成方法を説明する。
【００１６】
メモリ１００３に一時記録された画像信号は、１００４〜１０１６において現像処理が行われＪＰＥＧ画像データに変換される。まず、ＯＢ（オプティカル・ブラック）回路１００４にて黒引きが実施され、ＷＢ（ホワイトバランス）回路１００５にてＷＢ処理が施される。ＷＢ処理後の画像信号は色補間回路１００６にて各色毎に色補間が実施され、色変換回路１００７にてＵＶ信号に変換される。その後、ＣＳＵＰ回路１００８にて低輝度及び高輝度部の色が抑圧される。一方、ＷＢ後の画像信号は輝度補間回路１００９にて輝度信号が作成され、エッジ強調回路１０１０にてエッジ強調が施される。次に、色変換回路１０１１にて、ＣＳＵＰ回路１００８の出力ＵＶ信号とエッジ強調回路回路１０１０の出力Ｙ信号を用いて、ＲＧＢ信号が作成され、ガンマ回路１０１２にてガンマ補正が実施される。ガンマ補正後のＲＧＢ信号は色変換回路１０１３にて再びＹＵＶ信号に変換され、リサイズ回転回路１０１４にてプレビューに適した画像サイズにリサイズされる。また、姿勢センサを備えたデジタルカメラの場合、姿勢センサの出力によって縦位置撮影の場合、画像が９０度回転される。リサイズ回転回路１０１４の出力信号は３ＤＬＵＴ回路１０１５にて細かい色補正が実施され、ＪＰＥＧ変換回路１０１６にてＪＰＥＧ信号となり、メモリ１００３に記録される。
【００１７】
（プリント）
次に、デジタルカメラ１０のＵＩ（ユーザインターフェース）を用いてユーザがＲＡＷ画像プリントする場合の動作を説明する。
【００１８】
デジタルカメラ１０の表示画面や操作ボタンなどのＵＩ（不図示）において画像のプリントが指示されると、外部記録媒体１０１７からプリント指示された画像のＲＡＷ画像データ及びプレビュー用のＪＰＥＧ画像データがメモリ１００３に読み出される。
【００１９】
デジタルカメラ１０は、接続されているプリンタ２０の通信部２０１９からプリンタ２０の出力解像度及び出力サイズに関する情報を受信し、プリンタ２０の出力解像度及び出力サイズに応じて、プリントに必要な画像データのサイズが決定される。例えば、３００ｄｐｉでＬ版の印刷には２ＭＰｉｘｅｌ程度の画像、３００ｄｐｉでＡ４版の印刷には５Ｍｐｉｘｅｌ程度の画像が必要とされている。ここで出力サイズに関する情報をプリンタ２０から受信するとしたが、出力サイズについてはデジタルカメラ１０のＵＩによりユーザが入力した情報を用いてもよい。
【００２０】
本発明おけるダイレクトプリントシステムでは、予め現像処理が施されているプレビュー用のＪＰＥＧ画像の画素数と、上記決定されたプリントに必要な画素数を比較する。比較した結果、プレビュー用のＪＰＥＧ画像の画素数が多ければ、外部記憶媒体１０１７から読み出したプレビュー用のＪＰＥＧ画像を通信部１０１９からプリンタ２０に転送しプリントする。
【００２１】
また、プリントに必要な画素数に比べプレビュー用ＪＰＥＧ画像の画素数が少ない場合、ＲＡＷ画像データに現像処理及びリサイズ処理を施し、ＪＰＥＧ信号に変換したプリント用ＪＰＥＧ画像データが通信部１０１９からプリンタ２０に送信される。
【００２２】
ＲＡＷ画像データからプリント用ＪＰＲＧ画像データへの変換は信号処理ＩＣで１００４〜１０１６までの処理が行われる。ＯＢ回路１００４から色変換回路１０１３までの動作はプレビュー用ＪＰＥＧ信号作成時と同じ動作フローで処理されるため説明を省略する。色変換回路１０１３の出力ＹＵＶ信号は、リサイズ回路１０１４にて水平及び垂直画素数がプリントに必要な画素数にリサイズされる。リサイズされた信号は３ＤＬＵＴ回路１０１５にて細かい色補正が実施され、ＪＰＥＧ変換回路１０１６にてＪＰＥＧ信号となり、メモリ１００３に記録される。メモリ１００３に記録されたプリント用ＪＰＥＧ画像データは通信部１０１９よりプリンタ２０に送信される。
【００２３】
プリンタ２０では通信部２０１９がデジタルカメラ１０の通信部１０１９から送信されたプリント対象のＪＰＥＧ画像データを受信する。受信したＪＰＥＧ画像データは、メモリ２００３に記録される。メモリ２００３に記録された画像データは、プリンタ２０に搭載された信号処理回路のＪＰＥＧ解凍回路２０２２に転送され、ＹＵＶ信号に変換される。ＹＵＶ信号は色変換回路２０１１に転送されＲＧＢ信号となり、ガンマ回路２０１２にて図３−３００１のようなデジタルカメラ撮影時と逆ガンマ特性もつカーブで補正が施されリニアなＲＧＢ信号に変換される。リニアＲＧＢ信号は色変換回路２０１３にて再びＹＵＶ信号へ変換されリサイズ回路２０１４にてプリンタの出力サイズに対応した解像度に拡大もしくは縮小される。リサイズ後のＹＵＶ信号は３ＤＬＵＴ回路２０１５にてＣＭＹ信号に変換される。ここでの３ＤＬＵＴ回路は既知の３次元ルックアップテーブル変換であり、これを用いてＲＧＢ→ＣＭＹ変換を実施する。最後に３ＤＬＵＴ回路の出力ＣＭＹ信号をプリントエンジン２０２１に転送しプリントを実施する。
【００２４】
上記構成をとれば、プリントに必要な画像サイズを確保しつつ、プリンタに転送する画像サイズを小さくできるため、高速に転送することが可能となり、またプリンタ側に必要な画像バッファも小さくできるメリットがある。
【００２５】
上記構成をとれば、デジタルカメラとプリンタをダイレクト接続した場合に、従来不可能であった、ＲＡＷ画像データの印刷が可能となる。また、ＲＡＷ画像データとプレビュー用ＪＰＥＧ画像データを一つの画像データファイルとして記録するデジタルカメラにおいてプリントする画像サイズが小さい場合、プレビュー用のＪＰＥＧ画像データをプリンタに送信する。そのため、新たにＪＰＥＧ画像を生成しないので、従来に比べて画像送信までの処理にかかる時間が減り、印刷処理時間の短縮が可能となる。また、ＲＡＷ画像データとＪＰＥＧ画像データを一つの画像データファイルとして記録していなくても、プレビュー用に作成した現像処理済みの画像データをプリンタに送信してもよい。
【００２６】
（第２の実施例）
図２は、本発明における第２の実施例のダイレクトプリントシステム処理ブロック概略図である。
【００２７】
第２の実施例では、ＲＡＷ画像の現像処理が可能なプリンタ２１とデジタルカメラ１１とを通信接続したときのダイレクトプリントシステムについて説明する。
【００２８】
なお、図２において図１と同じ符号が記されているものは、第１の実施例と同様であるため説明を省略する。
【００２９】
（撮影）
第１の実施例と同じ処理フローのため説明を省略する。
【００３０】
（プリント）
デジタルカメラ１１のＵＩを用いてユーザがＲＡＷ画像プリントする場合の動作を説明する。
【００３１】
デジタルカメラ１１のＵＩ（不図示）において画像のプリントが指示されると、外部記録媒体１０１７からプリント指示された画像のＲＡＷ画像データ及びプレビュー用のＪＰＥＧ画像データがメモリ１００３に読み出される。
【００３２】
デジタルカメラ１０は、接続しているプリンタ２０の通信部２０１９からプリンタ２０の出力解像度及び出力サイズに関する情報を受信する。カメラシステムコントローラ１２０では、プリンタ２０の出力解像度及びプリント指定された印刷サイズに応じて、プリントに必要な画像データのサイズが決定される。実施例１と同様に、出力サイズについてはデジタルカメラ１０のＵＩによりユーザが入力した情報を用いてもよい。また、ＲＡＷ画像データの現像処理の機能を有しているか、現像処理が可能かどうかに関する情報を接続しているプリンタから取得する。
【００３３】
プリンタから受信した情報により、ＲＡＷ画像データの現像処理が不可能であるプリンタが接続されていると判断した場合は、実施例１のようにプレビュー用ＪＰＥＧ画像データまたはプリント用ＪＰＥＧ画像データを作成してプリンタに送信する。
【００３４】
また、図２のようなＲＡＷ画像データの現像処理が可能であるプリンタが接続されていると判断した場合は、デジタルカメラ１１はＲＡＷ画像データをプリンタ２１に送信する。
【００３５】
デジタルカメラ１１からプリンタ２１にＲＡＷ画像データを送信するときの動作フローについて詳細に説明する。
【００３６】
まず、デジタルカメラ１１は、実施例１と同様に、受信した出力解像度及び出力サイズに応じて、プリントに必要な画像データのサイズを決定する。プリントに必要なサイズと外部記録媒体１０１７から読み出したプリント対象のＲＡＷ画像データのサイズを比較する。比較した結果、プリントに必要なサイズのほうが大きかったら、外部記録媒体１０１７から読み出したＲＡＷ画像データを通信部１０１９からプリンタ２１に送信する。
【００３７】
また、ＲＡＷ画像データのサイズの方が大きい場合には、ＲＡＷ画像データをＲＡＷリサイズ回路１０１８に送る。ＲＡＷリサイズ回路１０１８でＲＡＷ画像データのリサイズ処理を行い（後で詳しく説明する）、リサイズしたＲＡＷ画像データを通信部１０１９からプリンタ２１へ送信する。
【００３８】
プリンタ２１はＲＡＷ画像データを受信すると、
本発明おけるダイレクトプリントシステムでは、予め現像処理が施されているプレビュー用のＪＰＥＧ画像の画素数と、上記決定されたプリントに必要な画素数を比較する。比較した結果、プレビュー用のＪＰＥＧ画像の画素数が多ければ、外部記憶媒体１０１７から読み出したプレビュー用のＪＰＥＧ画像を通信部１０１９からプリンタ２０に転送しプリントする。
【００３９】
また、プリントに必要な画素数に比べプレビュー用ＪＰＥＧ画像の画素数が少ない場合、ＲＡＷ画像データに現像処理及びリサイズ処理を施し、ＪＰＥＧ信号に変換したプリント用ＪＰＥＧ画像データが通信部１０１９からプリンタ２０に送信される。
【００４０】
プリンタ２１は、通信部においてＲＡＷ画像データを受信すると画像データをメモリ２００３に転送し記憶する。このＲＡＷ画像データはＯＢ回路２００４に転送される。２００４にて黒引きが実施され、ＷＢ回路２００５にて白バランスが施される。その後色補間回路２００６、色変換回路２００７、ＣＳＵＰ回路２００８を経てＵＶ信号が作成される。一方、ＷＢ後の画像信号は輝度補間回路２００９、エッジ強調回路２０１０を経てＹ信号が作成される。これらのＹＵＶ信号は色変換回路２０１１にてＲＧＢ信号に変換され、ガンマ回路２０１２を入力信号と出力信号が同じになるリニア設定（図３−３００３）で変換を実施する。ガンマ回路の出力ＲＧＢ信号は色変換回路２０１３にてＹＵＶ信号に変換され、リサイズ回転回路２０１４を経て、３ＤＬＵＴ回路２０１５に入力され、ＣＭＹ信号に変換される。このＣＭＹ信号をプリントエンジンに転送しプリントを実施する。
【００４１】
なお、プリンタの２００４〜２０１５の処理はデジタルカメラの１００４から１０１５の処理と同様である。そこで、デジタルカメラの１００４〜１０１５の回路を１つの信号処理ＩＣとし、この信号処理ＩＣをプリンタに内蔵すれば、プリンタにおいてＲＡＷ画像データをプリント用のＣＭＹ信号に変換する時に、その処理ブロックを併用することができる。またＲＡＷデータもプリントすることが可能となる。また、ＪＰＥＧ画像データやＲＡＷ画像データをＣＭＹデータに変換するＩＣを別途作成する必要がなくなり、コストの面で有利となる。
【００４２】
以下、ＲＡＷリサイズ回路１０１８の処理動作を図４及び図５を用いて説明する。入力ＲＡＷ信号を色分離回路４００１にて色分離する。図５における５００１がＲＡＷデータを視覚的に示した図であり、色分離回路によってＲＧ１Ｇ２Ｂの４プレーンの信号（５００２〜５００５）に分離される。次に、色分離後の４プレーンの色信号は画素補間回路４００２に入力され、それぞれ値の存在しない画素（値が０となっている画素）が補間演算される。この補間演算は、図５の５０１０の特性をもつ２次元フィルタを用いて５００６から５００９のような補間プレーン信号を得る。補間されたＲＧ１Ｇ２Ｂ信号は、水平ローパスフィルタ４００３、垂直ローパスフィルタ４００４にて信号帯域が制限される。これは、例えば図５の５０１１のような特性を持つローパスフィルタを用い、後段のリサンプルによる折り返り現象を抑圧するためである。帯域制限されたＲＧ１Ｇ２Ｂ信号は、リサンプル回路４００５にて汎用のリニア補間もしくはキュービック補間演算などによってリサイズされる。次に単板化回路４００６にて図５０１２のように４プレーン信号から１枚のリサイズＲＡＷ画像信号へ変換される。
【００４３】
以上のように、プリンタにＲＡＷデータを転送する際、プリンタの出力解像度、出力サイズに応じてＲＡＷデータをデジタルカメラ側でリサイズしてから転送する構成をとる。そのため、画素数が多いデジタルカメラにおいても、転送に時間がかかることがなく、またプリンタ側のメモリ容量を削減することが可能となる。
【図面の簡単な説明】
【００４４】
【図１】第１の実施例のダイレクトプリントシステム概略ブロック図
【図２】第２の実施例のダイレクトプリントシステム概略ブロック図
【図３】ガンマカーブ
【図４】ＲＡＷリサイズ  処理簡易フロー
【図５】ＲＡＷリサイズ  処理概念図
【図６】ダイレクトプリントシステム従来処理ブロック概略図
【符号の説明】
【００４５】
１００１、２００１  撮像素子
１００２、２００２  Ａ／Ｄ変換回路
１００３、２００３  メモリ
１００４、２００４  ＯＢ回路
１００５、２００５  ＷＢ回路
１００６、２００６  色補間回路
１００７、２００７  ＹＵＶｔｏＲＧＢ色変換回路
１０１１、２０１１  ＲＧＢｔｏＹＵＶ色変換回路
１０１３、２０１３  ＹＵＶｔｏＪＰＥＧ色変換回路
１００８、２００８  ＣＳＵＰ回路（色抑圧）
１００９、２００９  輝度補間回路
１０１０、２０１０  エッジ強調回路
１０１２、２０１２  ガンマ変換回路
１０１４、２０１４  リサイズ回転回路
１０１５、２０１５  ３ＤＬＵＴ回路
１０１６  ＪＰＥＧ変換回路
１０１７、２０１７  外部記憶媒体
１０１８  ＲＡＷリサイズ回路
２０２１  プリントエンジン
４００１  色分離回路
４００２  画素補間回路
４００３、４００４  ローパスフィルタ
４００５  リサンプル回路
４００６  単板化回路
１００  撮像装置
１１０  記憶媒体
１１１  画像バッファメモリ
１１２  画像送信手段
１１３  ユーザインターフェース
１１４  画像伸張手段
１１５  表示手段
１１６  画像圧縮手段
１２０  カメラシステムコントローラ
２００  印刷装置
２０１  画像受信手段
２０２  画像バッファメモリ
２０３  画像伸張手段
２０４  プリンタ用画像処理手段
２０５  印刷手段
２１０  プリンタシステムコントローラ
２２０  プリンタ用画像補正手段
【図１】
2007221685.tif 000003
【図２】
2007221685.tif 000004
【図３】
2007221685.tif 000005
【図４】
2007221685.tif 000006
【図５】
2007221685.tif 000007
【図６】
2007221685.tif 000008